(57)【要約】【課題】ライザー面の清掃を効率よく行えるエスカレーター用踏段清掃装置の提供。【解決手段】上記課題は、エスカレーターの欄干に取り付けられるベース部材５と、一端側がベース部材５に回動自在に支持され、かつ、他端側がエスカレーター用踏段のライザー面２Ｂの前方に向けて延設されるレバー部材６と、このレバー部材６の他端側に設けられた清掃部材７と、エスカレーター用踏段が走行することに応じて清掃部材７をライザー面２Ｂに押圧させる押圧部材８と、清掃部材７のライザー面２Ｂに対する接触角度を略一定に維持させる接触角度維持手段９を備える構成とすることで、達成できる。【選択図】図１
2007314297.tif 000002
【特許請求の範囲】
【請求項１】
踏面とライザー面を有する踏段を無端状に複数個連結し、これら踏段の両側方に欄干を立設してなるエスカレーターであって、このエスカレーターの踏段を清掃するエスカレーター用踏段清掃装置において、
前記エスカレーターの欄干に取り付けられるベース部材と、一端側が前記ベース部材に回動自在に支持され、かつ、他端側が前記エスカレーター用踏段のライザー面の前方に向けて延設されるレバー部材と、このレバー部材の他端側に設けられた清掃部材と、エスカレーター用踏段が走行することに応じて前記清掃部材を前記ライザー面に押圧させる押圧部材と、前記清掃部材の前記ライザー面に対する接触角度を略一定に維持させる接触角度維持手段を備える構成としたことを特徴とするエスカレーター用踏段清掃装置。
【請求項２】
前記接触角度維持手段を、前記レバー部材の他端側に回動支持されて前記清掃部材が取り付けられる第１リンク部材を包含する構成としたことを特徴とする請求項１記載のエスカレーター用踏段清掃装置。
【請求項３】
前記第１リンク部材に、前記清掃部材が所定押圧を持って前記ライザー面に接触させる負荷を生じさせるための重り部材を設けたことを特徴とする請求項２記載のエスカレーター用踏段清掃装置。
【請求項４】
前記接触角度維持手段を、前記ベース部材と、前記レバー部材と、このレバー部材の他端側に回動支持されて前記清掃部材が取り付けられる第１リンク部材と、一端側が前記ベース部材に回動自在に支持され、かつ、他端側が前記第１リンク部材に回動自在に支持される第２リンク部材とによって形成されるリンク機構としたことを特徴とする請求項１記載のエスカレーター用踏段清掃装置。
【請求項５】
前記接触角度維持手段を、前記清掃部材に傾きを検知する傾き検知手段と、この傾き検知手段の検出結果に応じて前記清掃部材の前記ライザー面に対する接触角度を略一定に維持させるように前記清掃部材の傾きを制御する傾き制御手段とを包含する構成としたことを特徴とする請求項１記載のエスカレーター用踏段清掃装置。
【発明の詳細な説明】
【技術分野】
【０００１】
本発明は、エスカレーター用踏段清掃装置に関するものである。
【背景技術】
【０００２】
従来、エスカレーターは、駅、空港、百貨店などの人の交通量の多い場所に設置されており、そのエスカレーターの稼動時間が長く、不稼動時間は限られた短い時間帯であることが多い。そのために、エスカレーターの清掃は、エスカレーターの稼動の妨げにならないように、より短時間で確実に行われることが求められている。
【０００３】
ところが、エスカレーター用踏段は、乗降口のくしと噛合うために前後方向に延びるクリート（溝）が多数形成された踏面と、隣接の踏段端部と噛合うために上下方向に延びるクリート（溝）が多数形成されたライザー面を備えているので、その踏面及びライザー面のクリート（溝）内の汚れを取り除くのは困難であって、エスカレーター用踏段の清掃作業に多大な時間を費やさざるを得なかった。
【０００４】
そこで、エスカレーターの躯体に固定してなる取り付け部材に支持アームを回動可能に設け、この支持アームにエスカレーター用踏段に当接する清掃具を固定して、その清掃具が、走行するエスカレーター用踏段のライザー面を摺動させることで、そのライザー面の清掃を短時間で行うようにしたエスカレーター用踏段清掃装置の提案がなされている（例えば、特許文献１参照）。
【特許文献１】特開昭６１−１０１３８６号公報
【発明の開示】
【発明が解決しようとする課題】
【０００５】
しかしながら、上述した特開昭６１−１０１３８６号公報に記載されたエスカレーター用踏段清掃装置では、エスカレーター用踏段のライザー面の位置によって清掃具のライザー面に対する接触角度が変化してしまい、特に、ライザー面の上端付近では、清掃具がライザー面に対して寝てしまうために、ライザー面の全面をムラなく清掃することができないという問題があった。
【０００６】
本発明は、上述した従来技術における実状からなされたもので、その目的は、ライザー面の全面をムラなく清掃することを効率よく行えるエスカレーター用踏段清掃装置を提供することにある。
【課題を解決するための手段】
【０００７】
上記目的を達成するために、本発明は、踏面とライザー面を有する踏段を無端状に複数個連結し、これら踏段の両側方に欄干を立設してなるエスカレーターであって、このエスカレーターの踏段を清掃するエスカレーター用踏段清掃装置において、前記エスカレーターの欄干に取り付けられるベース部材と、一端側が前記ベース部材に回動自在に支持され、かつ、他端側が前記エスカレーター用踏段のライザー面の前方に向けて延設されるレバー部材と、このレバー部材の他端側に設けられた清掃部材と、エスカレーター用踏段が走行することに応じて前記清掃部材を前記ライザー面に押圧させる押圧部材と、前記清掃部材の前記ライザー面に対する接触角度を略一定に維持させる接触角度維持手段を備える構成としたことを特徴としている。
【０００８】
さらに、本発明は、前記接触角度維持手段を、前記レバー部材の他端側に回動支持されて前記清掃部材が取り付けられる第１リンク部材を包含する構成としたことを特徴としている。
【０００９】
さらに、本発明は、前記第１リンク部材に、前記清掃部材が所定押圧を持って前記ライザー面に接触させる負荷を生じさせるための重り部材を設けたことを特徴としている。
【００１０】
さらに、本発明は、前記接触角度維持手段を、前記ベース部材と、前記レバー部材と、このレバー部材の他端側に回動支持されて前記清掃部材が取り付けられる第１リンク部材と、一端側が前記ベース部材に回動自在に支持され、かつ、他端側が前記第１リンク部材に回動自在に支持される第２リンク部材とによって形成されるリンク機構としたことを特徴としている。
【００１１】
さらに、本発明は、前記接触角度維持手段を、前記清掃部材に傾きを検知する傾き検知手段と、この傾き検知手段の検出結果に応じて前記清掃部材の前記ライザー面に対する接触角度を略一定に維持させるように前記清掃部材の傾きを制御する傾き制御手段とを包含する構成としたことを特徴としている。
【発明の効果】
【００１２】
本発明によれば、清掃部材のライザー面に対する接触角度を略一定に維持させることにより、ライザー面の全面をムラなく清掃することを効率よく行い、清掃作業時間の短縮化を可能にしたエスカレーター用踏段清掃装置が得られる。
【発明を実施するための最良の形態】
【００１３】
以下、本発明に係るエスカレーター用踏段清掃装置の実施形態を、図１〜図６に、基づいて説明する。図１は、本発明の一実施形態に係るエスカレーター用踏段清掃装置による清掃状態の説明図である。図２は、本発明の他実施形態その１に係るエスカレーター用踏段清掃装置による清掃状態の説明図である。図３は、本発明の他実施形態その２に係るエスカレーター用踏段清掃装置により踏段のライザー面の下端側部分を清掃している状態の説明図である。図４は、本発明の他実施形態その２に係るエスカレーター用踏段清掃装置により踏段のライザー面の上端側部分を清掃している状態の説明図である。図５は、本発明の他実施形態その２に係るエスカレーター用踏段清掃装置の清掃部材が踏段の踏面上を移動している状態の説明図である。図６は、本発明の他実施形態その３に係るエスカレーター用踏段清掃装置による清掃状態の説明図である。
【００１４】
図１に示すエスカレーター１は、無端状に複数個連結した踏段２と、これら踏段２の両側方に立設した欄干３とを備え、図示しない駆動装置によって、踏段２を矢印Ｐ方向に走行させることができるようにしてある。踏段２は、踏面２Ａとライザー面（蹴り上げ面）２Ｂを備えた構造としてある。踏面２Ａには、乗降口のくしと噛合うために前後方向に延びるクリート（溝）が多数形成されている。ライザー面２Ｂには、隣接の踏段端部と噛合うために上下方向に延びるクリート（溝）が多数形成されている。
【００１５】
図１に示す本発明の一実施形態に係るエスカレーター用踏段清掃装置４は、欄干３に取り付けられるベース部材５と、一端側６Ａがベース部材５に回動自在に支持され、かつ、他端側６Ｂが踏段２のライザー面２Ｂの前方に向けて延設されるレバー部材６と、このレバー部材６の他端側６Ｂに設けられた清掃部材７と、踏段２が走行することに応じて清掃部材７をライザー面２Ｂに押圧させる押圧部材８と、清掃部材７のライザー面２Ｂに対する接触角度を略一定に維持させる接触角度維持手段９とを、備える構成としてある。
【００１６】
ベース部材５は、欄干３に着脱可能に固定される固定部５Ａと、この固定部５Ａに一体的に設けられて欄干３の上方に延在させた略く字状の支持部５Ｂとからなり、鋼材から作られている。レバー部材６は、略く字状の細長鋼材からなり、そのレバー部材６の一端側６Ａがベース部材５の支持部５Ｂに回動自在に支持される。接触角度維持手段９は、レバー部材６の他端側６Ｂに回動支持されて清掃部材７が取り付けられる第１リンク部材１０を包含する構成としてある。第１リンク部材１０は、短冊状の鋼材から作られている。清掃部材７は、ブラシ状になっており、第１リンク部材１０に取り付けられており、レバー部材６に対して回動自在（首振り自在）となるようにしてある。押圧部材８は、コイル状ばね（引っ張りばね）から作られており、一端側をレバー部材６に取り付け、かつ、他端側をベース部材５に取り付けて、踏段２が走行することに応じて第１リンク部材１０に取り付けた清掃部材７がライザー面２Ｂに押圧させる働きが生じるようにしてある。第１リンク部材１０の底部には、回転自在のローラ１０Ａが設けられている。
【００１７】
上記一実施形態に係るエスカレーター用踏段清掃装置４を用いて、エスカレーター１の踏段２を清掃する場合には、そのエスカレーター１を停止させた後、図１に示すように、そのエスカレーター用踏段清掃装置４を設置する。その状態で、踏段２を左斜め下方に走行させると、清掃部材７がライザー面２Ｂの下端側から上端側に向って摺動することにより、そのライザー面２Ｂの清掃が行われる。
【００１８】
この場合、第１リンク部材１０によって清掃部材７がレバー部材６に対して回動自在（首振り自在）に支持されているため、清掃部材７のライザー面２Ｂへの接触角度を略一定に維持されるので、ライザー面２Ｂの全面をムラなく清掃することができ、かつ、清掃部材７の長寿命化が図られている。
【００１９】
図２は、本発明の他実施形態その１に係るエスカレーター用踏段清掃装置１１を示す。エスカレーター用踏段清掃装置１１の接触角度維持手段１２は、第１リンク部材１０と、この第１リンク部材１０に設けられて清掃部材７が所定押圧を持ってライザー面２Ｂに接触させる負荷を生じさせるための重り部材１０Ｂとを包含するものである。図２の他実施形態その１に係るエスカレーター用踏段清掃装置１１と図１の一実施形態に係るエスカレーター用踏段清掃装置４とは、前者が重り部材１０Ｂを備えているのに対して、後者が重り部材１０Ｂを備えていない点で相違するのみであり、他の構成については、両者は同一である。なお、図２において、図１と同一符号は、同一内容を表している。
【００２０】
図２の他実施形態その１に係るエスカレーター用踏段清掃装置１１によれば、重り部材１０Ｂにより、第１リンク部材１０及び清掃部材７に、図２において右上方に回動するモーメントが加えられるために、より一層、清掃部材７のライザー面２Ｂへの接触角度を略一定に維持されるので、清掃部材７によるライザー面２Ｂに清掃が効率よく行われる。
【００２１】
図３〜図５は、本発明の他実施形態その２に係るエスカレーター用踏段清掃装置２１を示す。エスカレーター用踏段清掃装置２１と図１の一実施形態に係るエスカレーター用踏段清掃装置４とは、前者の接触角度維持手段２２と後者の接触角度維持手段９とが異なるのみで、他の構成については、両者は同一である。なお、図３〜図５において、図１と同一符号は、同一内容を表している。
【００２２】
他実施形態その２に係るエスカレーター用踏段清掃装置２１の接触角度維持手段２２は、ベース部材５と、レバー部材６と、このレバー部材６の他端側６Ｂに回動支持されて清掃部材７が取り付けられる第１リンク部材１０と、一端側２３Ａがベース部材５に回動自在に支持され、かつ、他端側２３Ｂが第１リンク部材１０に回動自在に支持される第２リンク部材２３とによって平行四辺形が形成されるリンク機構としたものである。
【００２３】
上記他実施形態その２に係るエスカレーター用踏段清掃装置２１によれば、ベース部材５、レバー部材６、第１リンク部材１０及び第２リンク部材２３によるリンク機構によって、第１リンク部材１０をベース部材５の支持部５Ｂと平行に移動させることができるので、清掃部材７のライザー面２Ｂへの接触部位に係らず接触角度が略一定に維持されるので、清掃部材７によるライザー面２Ｂの清掃が効率よく行われる。
【００２４】
上記実施形態その２に係るエスカレーター用踏段清掃装置２１による踏段２の清掃状態を、図３〜図５は、に基づいて、具体的に説明する。
【００２５】
エスカレーター１を停止させた後、エスカレーター用踏段清掃装置２１を設置した状態で、踏段２を左斜め下方に走行させると、図３に示すように、レバー部材６の一端側６Ａと、レバー部材６の他端側６Ｂと、第２リンク部材２３の一端側２３Ａと、第２リンク部材２３の他端側２３Ｂとを、回動支点して、レバー部材６及び第２リンク部材２３が動き、清掃部材７がライザー面２Ｂの下方に押圧される。この場合、第１リンク部材１０は、ベース部材５の支持部５Ｂと平行に移動させられる。
【００２６】
そして、踏段２が左斜め下方に走行するに連れて、ライザー面２Ｂに押圧された清掃部材７は、ライザー面２Ｂの下方から上方に向って摺動して、図４に示すような状態になる。この状態においても、第１リンク部材１０は、ベース部材５の支持部５Ｂと平行に移動させられるので、清掃部材７のライザー面２Ｂへの接触角度を略一定に維持されるため、清掃部材７によるライザー面２Ｂの清掃が効率よく行われる。
【００２７】
その後、さらに、踏段２が左斜め下方に走行することで、清掃部材７は、ライザー面２Ｂの上端を乗り越えて、図５に示すように、踏段２の踏面２Ａ上に位置するようになる。この場合も、第１リンク部材１０は、ベース部材５の支持部５Ｂと平行に移動させられるので、ライザー面２Ｂの上端においても、清掃部材７のライザー面２Ｂへの接触角度が略一定に維持される。したがって、ライザー面２Ｂの全面が、清掃部材７によって、清掃がムラなく行われる。しかも、清掃部材７がライザー面２Ｂの下端から上端に向って押圧された状態で摺動するので、クリート（溝）内の清掃も効率よく行うことができる。また、清掃部材７が、図５に示すように、踏段２の踏面２Ａ上に位置するようになると、ローラ１０Ａが踏面２Ａ上で転動するようになる。これにより、清掃部材７は、踏面２Ａ上に接触することが起因して寿命が低下するのを防止できる。
【００２８】
その後、さらに、踏段２が左斜め下方に走行することで、隣接して走行してくる踏段２のライザー面２Ｂの下端に清掃部材７が押圧されるようになる。この場合も、第１リンク部材１０がベース部材５の支持部５Ｂと平行に移動させられて、清掃部材７の、隣接して走行してくる踏段２のライザー面２Ｂへの接触角度が略一定に維持される。
【００２９】
上記他実施形態その２に係るエスカレーター用踏段清掃装置２１によれば、第１リンク部材１０がベース部材５の支持部５Ｂと平行に移動されられて、常に、清掃部材７のライザー面２Ｂへの接触角度が略一定に維持されるので、ライザー面２Ｂの全面をムラなく清掃することができる。
【００３０】
図６は、本発明の他実施形態その３に係るエスカレーター用踏段清掃装置３１を示す。エスカレーター用踏段清掃装置３１と図１の一実施形態に係るエスカレーター用踏段清掃装置４とは、前者の接触角度維持手段３２と後者の接触角度維持手段９とが異なるのみで、他の構成については、両者は同一である。なお、図６において、図１と同一符号は、同一内容を表している。
【００３１】
他実施形態その３に係るエスカレーター用踏段清掃装置３１の接触角度維持手段３２は、清掃部材７に傾きを検知する傾き検知手段３３と、この傾き検知手段３３の検出結果に応じて清掃部材７のライザー面２Ｂに対する接触角度を略一定に維持させるように清掃部材７の傾きを制御する傾き制御手段３４とを包含する構成としたものである。
【００３２】
上記他実施形態その３に係るエスカレーター用踏段清掃装置３１によれば、傾き制御手段３４の制御により、清掃部材７のライザー面２Ｂへの接触角度を略一定に維持することができ、ライザー面２Ｂの全面をムラなく清掃することができ、しかも、重りやリンク機構を不要とするので、そのエスカレーター用踏段清掃装置３１の小型化及び軽量化を図ることができる。
【図面の簡単な説明】
【００３３】
【図１】本発明の一実施形態に係るエスカレーター用踏段清掃装置による清掃状態の説明図である。
【図２】本発明の他実施形態その１に係るエスカレーター用踏段清掃装置による清掃状態の説明図である。
【図３】本発明の他実施形態その２に係るエスカレーター用踏段清掃装置により踏段のライザー面の下端側部分を清掃している状態の説明図である。
【図４】本発明の他実施形態その２に係るエスカレーター用踏段清掃装置により踏段のライザー面の上端側部分を清掃している状態の説明図である。
【図５】本発明の他実施形態その２に係るエスカレーター用踏段清掃装置の清掃部材が踏段の踏面上を移動している状態の説明図である。
【図６】本発明の他実施形態その３に係るエスカレーター用踏段清掃装置による清掃状態の説明図である。
【符号の説明】
【００３４】
１    エスカレーター
２    踏段
２Ａ  踏面
２Ｂ  ライザー面
３    欄干
４    エスカレーター用踏段清掃装置（一実施形態）
５    ベース部材
６    レバー部材
７    清掃部材
８    押圧部材
９    接触角度維持手段
１０  第１リンク部材
１０Ａ  ローラ
１１  エスカレーター用踏段清掃装置（他実施形態その１）
２１  エスカレーター用踏段清掃装置（他実施形態その２）
２２  接触角度維持手段
２３  第２リンク部材
３１  エスカレーター用踏段清掃装置（他実施形態その３）
３２  接触角度維持手段
３３  傾き検知手段
３４  傾き制御手段
【図１】
2007314297.tif 000003
【図２】
2007314297.tif 000004
【図３】
2007314297.tif 000005
【図４】
2007314297.tif 000006
【図５】
2007314297.tif 000007
【図６】
2007314297.tif 000008